(57)【特許請求の範囲】
【請求項１】
音声・映像データを記録・再生する記録・再生手段と、
外部から第１の制御入力信号を受け入れ、受け入れた前記第１の制御入力信号に応じて前記記録・再生手段との間で第１のデータレートの前記音声・映像データを入出力する第１の入出力制御手段と、
外部から第２の制御入力信号を受け入れ、受け入れた前記第２の制御入力信号に応じて前記記録・再生手段との間で第１のデータレートより高い第２のデータレートの前記音声・映像データを入出力する第２の入出力制御手段と、
少なくとも前記第１の入出力制御手段および前記第２の入出力制御手段と所定の制御信号を送受信し、前記第１の入出力制御手段および前記第２の入出力制御手段を制御する記録・再生制御手段と
を有する音声・映像データ記録・再生装置。
【請求項２】
前記記録・再生制御手段は、
外部から入力される入力音声・映像データの前記記録・再生手段への記録を要求する記録要求信号の通知を前記第１の入出力制御手段および前記第２の入出力制御手段から受けて、前記入力音声・映像データが記録される前記記録・再生手段の記録領域を割り当てる記録領域割当手段と、
前記入力音声・映像データに割り当てた前記記録・再生手段の記録領域を示す記録領域通知信号を前記第１の入出力制御手段および前記第２の入出力制御手段に通知する記録領域通知手段と
を有し、
前記第１の入出力制御手段および前記第２の入出力制御手段はそれぞれ、
外部からの前記記録要求信号を前記記録・再生制御手段に通知する記録要求通知手段と、
前記記録領域通知信号を受けて前記記録・再生手段を制御し、受けた前記記録領域通知信号が示す前記記録・再生手段の記録領域に前記入力音声・映像データを記録させる記録制御手段と
を有する請求項１に記載の音声・映像データ記録・再生装置。
【請求項３】
前記記録・再生制御手段は、
前記記録・再生手段に記録された前記音声・映像データを再生し、外部へ出力することを要求する再生要求信号の通知を前記第１の入出力制御手段から受けて、再生が要求された前記音声・映像データが記録されている前記記録・再生手段の再生領域を検索する記録領域検索手段と、
検索の結果、見つかった前記記録・再生手段の再生領域を示す再生領域通知信号を前記第１の入出力制御手段に通知する再生領域通知手段と
を有し、
前記第１の入出力制御手段および前記第２の入出力制御手段はそれぞれ、
外部から前記再生要求信号を受け入れて前記記録・再生制御手段に通知する記録再生通知手段と、
前記再生領域通知信号を前記記録・再生制御手段の前記再生領域通知手段から受けて前記記録・再生手段を制御し、受けた前記再生領域通知信号が示す前記記録・再生手段の再生領域から前記入力音声・映像データを再生させ、外部に出力する再生制御手段と、
再生が要求された前記音声・映像データの終了を示す音声・映像データ終了信号を前記記録・再生手段から受け入れて外部に対して通知する終了通知手段と
を有し、
前記記録・再生手段は、
再生させられた前記音声・映像データが終了した場合に、前記音声・映像データの終了を示す前記音声・映像データ終了信号を前記第１の入出力制御手段に通知する音声・映像データ終了通知手段
を有する請求項２に記載の音声・映像データ記録・再生装置。
【請求項４】
前記第１の入出力制御手段および前記第２の入出力制御手段と前記記録・再生手段とは、同一のデータバスを介して接続され、
前記第１の入出力制御手段および前記第２の入出力制御手段と前記記録・再生手段とは、同一の前記制御バスを介して接続される
請求項２に記載の音声・映像データ記録・再生装置。
【請求項５】
前記記録・再生手段は、
第１のデータレートのベースバンドの音声・映像データを記録・再生可能な記録媒体に対して音声・映像データを記録・再生する
請求項２に記載の音声・映像データ記録・再生装置。
【請求項６】
複数の音声・映像データ記録・再生装置を有し、
前記音声・映像データ記録・再生装置は、
音声・映像データを記録・再生する記録・再生手段と、
外部から第１の制御入力信号を受け入れ、受け入れた前記第１の制御入力信号に応じて前記記録・再生手段との間で第１のデータレートの前記音声・映像データを入出力する第１の入出力制御手段と、
外部から第２の制御入力信号を受け入れ、受け入れた前記第２の制御入力信号に応じて前記記録・再生手段との間で第１のデータレートよりも高い第２のデータレートの前記音声・映像データを入出力する第２の入出力制御手段と、
少なくとも前記第１の入出力制御手段および前記第２の入出力制御手段と所定の制御信号を送受信し、前記第１の入出力制御手段および前記第２の入出力制御手段を制御する記録・再生制御手段と
を有し、
前記記録・再生制御手段は、
外部から入力される入力音声・映像データの前記記録・再生手段への記録を要求する記録要求信号の通知を前記第１の入出力制御手段および前記第２の入出力制御手段から受けて、前記入力音声・映像データが記録される前記記録・再生手段の記録領域を割り当てる記録領域割当手段と、
前記入力音声・映像データに割り当てた前記記録・再生手段の記録領域を示す記録領域通知信号を前記第１の入出力制御手段および前記第２の入出力制御手段に通知する記録領域通知手段と
を有し、
前記第１の入出力制御手段および前記第２の入出力制御手段はそれぞれ、
外部からの前記記録要求信号を前記記録・再生制御手段に通知する記録要求通知手段と、
前記記録領域通知信号を受けて前記記録・再生手段を制御し、受けた前記記録領域通知信号が示す前記記録・再生手段の記録領域に前記入力音声・映像データを記録させる記録制御手段と
を有し、
前記複数の音声・映像データ記録・再生装置の第２の入出力制御手段の間を接続し、これらの音声・映像データ記録・再生装置の間で第２のデータレートの音声・映像データを送受信する
音声・映像データ記録・再生システム。
【発明の詳細な説明】
【０００１】
【発明の属する技術分野】
本発明は、デジタル形式の音声・映像データを記録し、記録した音声・映像データを再生する音声・映像データ記録・再生装置および音声・映像データ記録・再生システムに関する。
【０００２】
【従来の技術および発明が解決しようとする課題】
例えば、テレビジョン放送局において、ニュース番組等において放映される映像の制作制作は通常、まず、ビデオテープレコーダ（ＶＴＲ装置）を内蔵したテレビカメラ等で放映される映像の元となる映像（素材映像）および音声をビデオテープに収録して個別に管理し、さらに、編集者が必要に応じて編集室のＶＴＲ装置を用いてビデオテープに収録された１つまたは複数の音声・映像データ（ＡＶデータ）を再生し、再生した素材映像を組み合わせて実際に放送する映像を他のテープ上に記録することにより行われる。
【０００３】
しかしながら、素材映像の管理を、ビデオテープに記録されている状態で行うと、多数の素材映像の中から必要なものを選択するための作業効率が悪くなり、また、素材映像が収録されているテープの保管場所から編集室への運搬の必要もある。さらに、複数の編集者が素材映像を共用しずらい。このような問題は、特に、１つのニュース映像の制作に多数の素材映像を使用するような場合に顕著である。
【０００４】
また、テープ上に制作されたニュース映像は、一般に、番組送出用のＶＴＲ装置、あるいは、番組送出用のＶＴＲ装置を内蔵するカートマシンに人手により運搬され装填される。しかしながら、番組を送出する段階におけるニュース映像の管理あるいは送出順序の入替え等の操作も人手により行う必要があり、効率が悪く、人的ミスによる誤りも発生しうるため信頼性に欠ける。
【０００５】
このような問題を解決するために、素材映像あるいは放送用映像の一元的な管理と運用、および、素材映像の共用を可能にするコンピューティングシステムで用いられる、いわゆるサーバシステムが用いられる。
図１２は、従来の音声・映像データ用のサーバシステム８の構成例を示す図である。
図１２に示すように、サーバシステム８は、コンピュータの基本構成要素であるＣＰＵ４０１、ＲＯＭ４０２、ＲＡＭ４０３、高速バス４０４、デバイスインタフェース４０５m を介して接続されるデータ記録・再生装置４０６m 、入出力インタフェース４０７n を介して接続される音声・映像データ圧縮手段４０８n 、および、音声・映像データ圧縮手段４０８n に対応する音声・映像データ伸長手段４０９n から基本的に構成される。
さらに、サーバシステム８が、上位の応用システムと別個のコンピュータ上に実現されている場合は、ＬＡＮ４１０とサーバシステム８とを接続するＬＡＮ用インタフェース４１１が設けられる。
【０００６】
サーバシステム８が音声・映像データを記録する際には、音声・映像データ圧縮手段４０８n は、入力された音声・映像データＳ４０n を圧縮し、圧縮音声・映像データＳ４１n を生成し、入出力インタフェース４０７n を介して高速バス４０４に転送する。
高速バス４０４に転送された圧縮音声・映像データは通常、データ流量制御等のためにＲＡＭ４０３へ一時的に蓄積（バッファリング）された後、再びバス４０４に転送され、デバイスインタフェース４０５m を介してデータ記録・再生装置４０６m に適宜、記録される。
【０００７】
また、サーバシステム８が音声・映像データを再生する際には、データ記録・再生装置４０６n に記録された圧縮音声・映像データは、再生された後、デバイスインタフェース４０５m を介して高速バス４０４に転送される。
高速バス４０４に転送された圧縮音声・映像データは、記録の際と同様に、データ流量制御等のためにＲＡＭ４０３にバッファリングされ、再び、高速バス４０４に転送され、入出力インタフェース４０７n を経由して音声・映像データ伸長手段４０９n への入力データＳ４２n となる。
【０００８】
音声・映像データ伸長手段４０９n は、入力データＳ４２n から映像信号Ｓ４３n を復号してシステムから出力する。
サーバシステム８が音声・映像データを記録および再生する際には、入出力インタフェース４０７n 、高速バス４０４およびデバイスインタフェース４０５m の動作は、いずれも応用システムからＬＡＮ４１０、ＬＡＮ用インタフェース４１１、高速バス４０４およびＲＡＭ４０３を介して伝達されてきた命令に基づいたＣＰＵ４０１により制御される。
【０００９】
なお、動作命令が応用システムではなく、映像信号の入出力側から供給される場合は、入出力インタフェース４０７n に、図４に破線で示すように接続される制御線Ｓ４４n が必要となる。この場合、制御線Ｓ４４n より供給される命令は、入出力インタフェース４０７n 、高速バス４０４およびＲＡＭ４０３を介してＣＰＵ４０１に伝達され、ＣＰＵ４０１は、入出力インタフェース４０７n 、高速バス４０４およびデバイスインタフェース４０５m の動作を制御線Ｓ４４n から供給された命令に基づいて制御する。
【００１０】
しかしながら、図１２に示したサーバシステム８は、テレビジョン放送局において、高品質な音声・映像データを記録・再生するために必ずしも適していない。この理由を以下に説明する。
第１に、テレビジョン放送局で使用される水準の高品質な音声・映像データをサーバシステム８が取り扱う場合、バスのデータ転送能力が不足してシステム規模あるいはシステムの拡張性が制約される。
【００１１】
つまり、現行のディジタル形式のテレビジョンの音声・映像データのデータレートは１００Ｍｂｐｓ以上であり、この音声・映像データを高能率符号化した符号化音声・映像データも、編集加工による劣化を考慮して、例えばＣＣＩＲ勧告７２３に記載されているように、約３０Ｍｂｐｓ（４Ｍバイト／ｓ）のデータレートとなる。
【００１２】
例えば、サーバシステム８において、８人の編集者が同時に２つの３０Ｍｂｐｓ（４ＭＢｐｓ）の素材映像を用いて編集作業（いわゆるＡＢロール編集）を行うことを実現しようとすると、上述のように音声・映像データをバッファリングする必要があることを考慮すると、高速バス４０４上には最大４８本〔＝３（同時に２つの素材映像を再生し、１つの編集後の映像を記録する必要から）×２（バッファリングのための往復）×８（編集者数）〕の符号化音声・映像データが同時に転送されることになる。従って、高速バス４０４には、符号化音声・映像データ転送のためだけに、最低１９２ＭＢｐｓの実効データ転送レートが求められる。
【００１３】
さらに、入出力インタフェース４０７n へ音声・映像データを転送する際に、瞬断があってはならないとしうテレビジョン放送局におけるサーバシステム８固有の制約があるので、高速バス４０４およびＲＡＭ４０３を制御するＣＰＵ４０１の処理能力も問題となる。加えて、高性能コンピュータにおけるバスの物理的転送速度は通常、１００ＭＢｐｓ程度であり、図１２に示したサーバシステム８の構成によると、高々８人程度の編集者が素材映像を共有する編集作業の実現は技術的に必ずしも容易ではない。
【００１４】
また、テレビジョン放送局において使用可能なサーバシステムを実現する場合、外部から供給される同期信号あるいはタイムスタンプにサーバシステムを従属同期させなければならない。
通常、テレビジョン放送局の内の放送用器材の間では、音声・映像データ用の基準同期信号あるいはタイムコードに厳密に同期して音声・映像データの伝送および送出が行われる。
【００１５】
従って、既存の放送用機器とサーバシステムとを接続するためには、サーバーシステムの音声・映像データの入力および出力（入出力）を基準同期信号等に同期して行うことが必要である。しかし、基本的に非同期で動作するコンピュータを用いて音声・映像データの転送を行うサーバシステム８において、基準同期信号あるいはタイムコードに同期した音声・映像データの入出力を行うことは必ずしも容易ではない。
【００１６】
つまり、図１２に示した構成のサーバシステム８においては、音声・映像データの転送と交換（ルーティング）を非同期の高速バス４０４およびＲＡＭ４０３を用いて行うと、本来、基準同期信号等に同期して伝送される音声・映像データをサーバシステム８内部の非同期転送系を通過させた後に、再び外部の基準同期信号に同期させる同期／非同期変換処理が必要となるため、装置規模が大きくなり、製造コストも上昇する。
【００１７】
また、テレビジョン放送局で使用されるサーバシステム８においては、音声・映像データの転送および交換を、非同期の高速バス４０４およびＲＡＭ４０３を用いて行うことに起因するシステム遅延が発生し、この障害がテレビジョン放送局システムの運用に障害を与える。
サーバシステム８のシステム遅延については、システム遅延時間の絶対量が問題となる他、他の放送機器との同期をとる上で、システム遅延時間が一定の値であるか否かが問題になる。
【００１８】
サーバシステム８のシステム遅延時間の絶対量は、例えば音声・映像データを再生する際に、デバイスインタフェース４０５m 、ＲＡＭ４０３、入出力インタフェース４０７n の３ケ所でデータ流量制御等のためのバッファリングが必要となり、編集作業で求められる応答性能を満たすことは基本的に困難である。
またシステム遅延時間が一定であるか否かの問題は、サーバシステム８のＣＰＵおよびＲＡＭ等、システムの根幹となる構成部分が本質的に非同期で動作するので、経時的にシステム遅延時間が変化する可能性が高く、一定の値を保証することは容易ではない。
【００１９】
また例えば、テレビジョン放送局において、サーバシステム８への音声・映像データの記録と再生がサーバシステム８外部の制御装置により制御される場合に、制御処理に要する時間のために、外部の基準同期信号等と音声・映像データとの同期がとれなくなったり、システム遅延が生じたりする。サーバシステム８を外部の制御装置から制御するためには、例えば図１２に破線で示すように、専用の制御線を入出力インタフェース４０７n に接続する必要がある。
【００２０】
しかしながら、図７に示したように専用の制御線を入出力インターフェース４０７n に接続した場合、制御命令は高速バス４０４を介してＣＰＵ４０１に伝達され、再び、高速バス４０４を介してデバイスインタフェース４０５m と入出力インタフェース４０７n とに伝達されるため、制御のための命令の伝達自体に遅延時間が生じる。また仮に、制御に係る遅延時間が問題にならないほど短くても、上述したサーバシステム８のシステム遅延の問題が残ってしまう。
【００２１】
また、テレビジョン放送局で用いられるサーバシステム８においては、音声・映像データの転送および交換が高速バス４０４およびＲＡＭ４０３を使用して行われるため、圧縮率を高め、高速バス４０４の転送能力等に適合させた符号化音声・映像データを転送する必要がある。従って、サーバシステム８においては、劣化がないベースバンドデジタル音声・映像データの転送や交換が困難であり、サーバシステム８に接続される全ての放送機器に対して高能率符号化した音声・映像データを供給せざるを得ない。
【００２２】
高能率符号化した音声・映像データを供給することは、ハードウエア資源の有効利用のためには優れた技術ある。しかし、高能率符号化した音声・映像データを伸長復号した後の音声・映像データの品質は必ず劣化する。このため、稀に、伸長復号後の音声・映像データの品質が、テレビジョン放送に用いることができないほどに劣化してしまう可能性がある。
上述したように、図１２に示したサーバシステム８にはいくつかの問題点があり、これらの問題の解決策を求めることが必要である。
【００２３】
本発明は上述した従来技術の問題点に鑑みてなされたものであり、テレビジョン放送局の放送システムにおいて、テレビジョン放送局それぞれの業務規模、あるいは、同一のテレビジョン放送局における放送システムを適用する業務の種類に対応して、音声・映像データ用サーバーシステムの規模および機能を変更することができ、機能および構成の変更が容易で拡張性が高く、低コストな音声・映像データ記録・再生装置および音声・映像データ記録・再生システムを提供することを目的とする。
【００２４】
また、本発明は、通常、テレビジョン放送局内の放送システムにおいて、音声・映像データが基準同期信号あるいはタイムコードに厳密に同期して伝送および送出されること、および、既存の放送機器との接続の容易性を考慮し、外部から入力される基準同期信号等に従属同期して音声・映像データを取り扱うことができる音声・映像データ記録・再生装置および音声・映像データ記録・再生システムを提供することを目的とする。
【００２５】
また、本発明は、取り扱う音声・映像データにシステム遅延時間を生じる部分を極力、削減してシステム遅延時間を減らし、また、外部の制御装置に制御されて動作する場合に、外部の制御装置からの制御命令が処理実行部分に直接的に供給されるようにして、外部の制御装置からの制御に対して素早く対応できる音声・映像データ記録・再生装置および音声・映像データ記録・再生システムを提供することを目的とする。
【００２６】
また、本発明は、放送システムにおいて、なるべく基準同期信号に同期して音声・映像データを転送および交換し、同期／非同期変換処理を要する部分を少なくすることができる音声・映像データ記録・再生装置および音声・映像データ記録・再生システムを提供することを目的とする。
また、本発明は、ベースバンドディジタル音声・映像データの転送および交換を可能とする音声・映像データ記録・再生装置および音声・映像データ記録・再生装置システムを提供することを目的とする。
【００２７】
【課題を解決するための手段】
上記目的を達成するために本発明に係る音声・映像データ記録・再生装置は、音声・映像データを記録・再生する記録・再生手段と、外部から第１の制御入力信号を受け入れ、受け入れた前記第１の制御入力信号に応じて前記記録・再生手段との間で第１のデータレートの前記音声・映像データを入出力する第１の入出力制御手段と、外部から第２の制御入力信号を受け入れ、受け入れた前記第２の制御入力信号に応じて前記記録・再生手段との間で第１のデータレートよりも高い第２のデータレートの前記音声・映像データを入出力する第２の入出力制御手段と、少なくとも前記第１の入出力制御手段および前記第２の入出力制御手段と所定の制御信号を送受信し、前記第１の入出力制御手段および前記第２の入出力制御手段を制御する記録・再生制御手段とを有する。
【００２８】
好適には、前記記録・再生制御手段は、外部から入力される入力音声・映像データの前記記録・再生手段への記録を要求する記録要求信号の通知を前記第１の入出力制御手段および前記第２の入出力制御手段から受けて、前記入力音声・映像データが記録される前記記録・再生手段の記録領域を割り当てる記録領域割当手段と、前記入力音声・映像データに割り当てた前記記録・再生手段の記録領域を示す記録領域通知信号を前記第１の入出力制御手段および前記第２の入出力制御手段に通知する記録領域通知手段とを有し、前記第１の入出力制御手段および前記第２の入出力制御手段はそれぞれ、外部からの前記記録要求信号を前記記録・再生制御手段に通知する記録要求通知手段と、前記記録領域通知信号を受けて前記記録・再生手段を制御し、受けた前記記録領域通知信号が示す前記記録・再生手段の記録領域に前記入力音声・映像データを記録させる記録制御手段とを有する。
【００２９】
好適には、前記記録・再生制御手段は、前記記録・再生手段に記録された前記音声・映像データを再生し、外部へ出力することを要求する再生要求信号の通知を前記第１の入出力制御手段から受けて、再生が要求された前記音声・映像データが記録されている前記記録・再生手段の再生領域を検索する記録領域検索手段と、検索の結果、見つかった前記記録・再生手段の再生領域を示す再生領域通知信号を前記第１の入出力制御手段に通知する再生領域通知手段とを有し、前記第１の入出力制御手段および前記第２の入出力制御手段はそれぞれ、外部から前記再生要求信号を受け入れて前記記録・再生制御手段に通知する記録再生通知手段と、前記再生領域通知信号を前記記録・再生制御手段の前記再生領域通知手段から受けて前記記録・再生手段を制御し、受けた前記再生領域通知信号が示す前記記録・再生手段の再生領域から前記入力音声・映像データを再生させ、外部に出力する再生制御手段と、再生が要求された前記音声・映像データの終了を示す音声・映像データ終了信号を前記記録・再生手段から受け入れて外部に対して通知する終了通知手段とを有し、前記記録・再生手段は、再生させられた前記音声・映像データが終了した場合に、前記音声・映像データの終了を示す前記音声・映像データ終了信号を前記第１の入出力制御手段に通知する音声・映像データ終了通知手段を有する。
【００３０】
好適には、前記第１の入出力制御手段および前記第２の入出力制御手段と前記記録・再生手段とは、同一のデータバスを介して接続され、前記第１の入出力制御手段および前記第２の入出力制御手段と前記記録・再生手段とは、同一の前記制御バスを介して接続される。
好適には、前記記録・再生手段は、第１のデータレートのベースバンドの音声・映像データを記録・再生可能な記録媒体に対して音声・映像データを記録・再生する。
【００３１】
本発明に係る音声・映像データ記録・再生装置において、記録・再生手段は、音声・映像データを、ハードディスク、光磁気ディスク、半導体メモリあるいはＶＴＲテープ等の所定の記録媒体に記録する。
第１の入出力制御手段は、例えばＶＴＲ装置によりＶＴＲテープを通常の速度（１倍速）で再生して得られる通常のデータレートの（第１のデータレート；実時間的な）音声・映像データの入出力に用いられる。第１の入出力制御手段には、例えば編集装置等の本発明に係る音声・映像データ記録・再生装置を制御する制御装置が接続されており、入出力制御装置それぞれは制御入力信号を受け入れる。
【００３２】
受け入れた第１の制御入力信号が、例えば、記録・再生手段に音声・映像データを記録させることを要求する旨の記録要求信号である場合、この信号を受け入れた入出力制御手段は、記録要求信号を制御用のバスを介して記録・再生制御手段に通知する。
記録要求信号の通知を受けた記録・再生制御手段は、記録のために入力される入力音声・映像データに対して、記録・再生手段の記録領域を割り当て、割り当てた記憶領域を示す記録領域通知信号を入出力制御手段に返す。
入出力制御手段は、記録・再生手段を制御し、データバスを介して入力音声・映像データを転送し、通知された記録領域に記録させる。
【００３３】
受け入れた第１の制御入力信号が、例えば、記録・再生手段に記録されている音声・映像データを再生し、外部に出力させることを要求する旨の再生要求信号である場合、この信号を受け入れた入出力制御手段は、再生要求信号を記録・再生制御手段に制御用バスを介して通知する。
再生要求信号の通知を受けた記録・再生制御手段は、再生が要求された音声・映像データが記録されている記録・再生手段の記録領域を検索し、探し出した記録領域を示す再生領域通知信号を制御用バスを介して入出力制御手段に返す。
【００３４】
第２の入出力制御手段は、例えば、ＶＴＲ装置によりＶＴＲテープを、再生時間を１／２あるいは１／３に短縮して再生して得られる高速データレートの（第２のデータレートの；非実時間的な）音声・映像データの入出力に用いられ、例えば高速伝送装置等が接続され、第１の入出力手段と同様の処理を行う。
第２の入出力制御手段は、制御用バスを介して記録・再生手段を制御し、再生領域通知信号が示す記録領域から再生を要求された音声・映像データを再生させる。
記録・再生手段が、再生が要求された音声・映像データの再生を終了すると、制御用バスを介して再生処理の完了（再生が要求された音声・映像データの終了）を示す音声・映像データ終了通知信号を入出力制御手段に返し、第２の入出力制御手段は、さらに、その旨を外部に接続された制御装置に通知する。
【００３５】
また、本発明に係る音声・映像データ記録・再生システムは、複数の音声・映像データ記録・再生装置を有し、前記音声・映像データ記録・再生装置は、音声・映像データを記録・再生する記録・再生手段と、外部から制御入力信号を受け入れ、受け入れた前記制御入力信号に応じて前記記録・再生手段との間で第１のデータレートの前記音声・映像データを入出力する第１の入出力制御手段と、制御入力信号を受け入れ、受け入れた前記制御入力信号に応じて前記記録・再生手段との間で第１のデータレートよりも高い第２のデータレートの前記音声・映像データを入出力する第２の入出力制御手段と、少なくとも前記第１の入出力制御手段および前記第２の入出力制御手段と所定の制御信号を送受信し、前記第１の入出力制御手段および前記第２の入出力制御手段を制御する記録・再生制御手段とを有し、前記記録・再生制御手段は、外部から入力される入力音声・映像データの前記記録・再生手段への記録を要求する記録要求信号の通知を前記第１の入出力制御手段および前記第２の入出力制御手段から受けて、前記入力音声・映像データが記録される前記記録・再生手段の記録領域を割り当てる記録領域割当手段と、前記入力音声・映像データに割り当てた前記記録・再生手段の記録領域を示す記録領域通知信号を前記第１の入出力制御手段および前記第２の入出力制御手段に通知する記録領域通知手段とを有し、前記第１の入出力制御手段および前記第２の入出力制御手段はそれぞれ、外部からの前記記録要求信号を前記記録・再生制御手段に通知する記録要求通知手段と、前記記録領域通知信号を受けて前記記録・再生手段を制御し、受けた前記記録領域通知信号が示す前記記録・再生手段の記録領域に前記入力音声・映像データを記録させる記録制御手段とを有し、前記複数の音声・映像データ記録・再生装置の第２の入出力制御手段の間を接続し、これらの音声・映像データ記録・再生装置の間で第２のデータレートの音声・映像データを送受信する。
【００３６】
【発明の実施の形態】
＜参考例１＞
以下、本発明の実施の形態を説明する前に、その実施の形態の参考となる構成を有するデータ記録・再生装置１を、参考例１として説明する。
図１は、参考例１に係るデータ記録・再生装置１の構成を示す図である。
【００３７】
図１に示すように、データ記録・再生装置１は、ｎ個の音声・映像データ入出力制御回路（ＡＶデータ入出力制御回路）１０1 〜１０n 、記録・再生制御回路３４、同期・非同期変換回路２４、記憶装置２６、同期信号インターフェース回路（同期信号ＩＦ回路）２８、タイムコードインターフェース回路（ＴＣＩＦ回路）３０および多重化制御インターフェース回路（多重化ＩＦ回路）３２から構成される。
【００３８】
データ記録・再生装置１において、ＡＶデータ入出力制御回路１０1 〜１０n および同期・非同期変換回路２４はデータバス２２を介して相互に接続され、記録・再生制御回路３４、ＡＶデータ入出力制御回路１０1 〜１０n および記憶装置２６は、制御バス２０を介して相互に接続されている。
【００３９】
また、ＡＶデータ入出力制御回路１０i には外部、例えば編集装置等の外部機器２（上位システム）から必要に応じて、同期信号ＩＦ回路２８を介して基準同期信号Ｓ２８が入力され、ＴＣＩＦ回路３０を介して音声・映像データの時刻を示し、同期確立のために用いられるタイムコードＳ３０が入力され、多重化ＩＦ回路３２を介してＡＶデータ入出力制御回路１０1 〜１０n の動作を一括して制御する一括制御信号Ｓ３２が入力される。
【００４０】
また、データ記録・再生装置１においては、外部から入力される基準同期信号およびタイムコード等に同期したデータバス２２上の音声・映像データの転送が可能であり、また、ＡＶデータ入出力制御回路１０1 〜１０n を介して編集装置等の上位応用システムを接続して、複数の音声・映像データに対する一括した入出力制御が可能になっている。
【００４１】
これらの構成部分によりデータ記録・再生装置１は、例えば、ＶＴＲ装置から１倍速（通常の速度）で音声・映像データを再生して得られる実時間的な音声・映像データに係る入出力制御と記録再生制御の負荷を分散し、多チャンネルの音声・映像データを同時に入出力し、記録・再生する。
【００４２】
図２は、第１のＡＶデータ入出力回路１０i （ｉは整数；１≦ｉ≦ｎ、以下同じ）の構成を示す図である。
外部機器２および記憶装置２６との間で非圧縮音声・映像データを入出力する場合には、図２に示すように、マイクロプロセッサ（ＣＰＵ）１０２、メモリ回路（ＭＥＭ）１１２およびデータバスインターフェース回路（データバスＩＦ）１１４から構成される第１のＡＶデータ入出力制御回路１０i が用いられる。
【００４３】
ＡＶデータ入出力制御回路１０i において、マイクロプロセッサ１０２は、例えばプログラムを記憶したＲＯＭを内蔵したワンチップマイクロプロセッサ等から構成される。
また、マイクロプロセッサ１０２は、外部機器２との間で制御信号Ｓ１０ａi を送受信し、記録・再生制御回路３４との間で制御バス２０を介して制御信号を送受信する。
【００４４】
また、マイクロプロセッサ１０２は、記録・再生制御回路３４から入力される制御信号と、外部機器２から入力される制御信号Ｓ１０ａi と、必要に応じて基準同期信号Ｓ２８、ＴＣＩＦ回路３０および多重化ＩＦ回路３２それぞれを介して入力される基準同期信号Ｓ２８、タイムコードＳ３０および一括制御信号Ｓ３２とに基づいて、メモリ回路１１２およびデータバスＩＦ１１４の動作を制御し、外部機器２および記憶装置２６の間の音声・映像データの入出力を制御する。
【００４５】
データバスＩＦ１１４は、マイクロプロセッサ１０２の制御に従って、記憶装置２６との間でデータバス２２を介して音声・映像データを入出力する。つまり、メモリ回路１１２にバッファリングされている音声・映像データを記憶装置２６（同期・非同期変換回路２４）に対して出力し、記憶装置２６から入力された音声・映像データをメモリ回路１１２に対して出力する。
【００４６】
メモリ回路１１２は、マイクロプロセッサ１０２の制御に従って、外部機器２から入力される音声・映像データＳ１０ｂi をバッファリングし、データバスＩＦ１１４を介して記憶装置２６（同期・非同期変換回路２４）に対して出力する。
また、メモリ回路１１２は、データバスＩＦ１１４を介して記憶装置２６から入力される音声・映像データをバッファリングし、音声・映像データＳ１０ｃi として外部機器２に対して出力する。
【００４７】
再び図１を参照して、ＡＶデータ入出力制御回路１０i 以外のデータ記録・再生装置１の各構成部分を説明する。
記録・再生制御回路３４は、制御バス２０を介してＡＶデータ入出力制御回路１０i 、同期・非同期変換回路２４および記憶装置２６との間で制御信号を送受信し、これらの構成部分の動作を制御する。
【００４８】
また、記録・再生制御回路３４は、記憶装置２６の記録領域を管理し、ＡＶデータ入出力制御回路１０i から記憶装置２６に対する音声・映像データの記録要求信号を受けた場合に、音声・映像データを記録する記憶装置２６の記録領域を定め、ＡＶデータ入出力制御回路１０i に通知し、また、ＡＶデータ入出力制御回路１０i から記憶装置２６に記録されている音声・映像データの再生が供給された場合には、再生する音声・映像データが記録されている記憶装置２６の記録領域を検索し、見つけ出した記録領域をＡＶデータ入出力制御回路１０i に通知する。
【００４９】
同期信号ＩＦ回路２８は、外部機器２が取り扱う音声・映像データ１０ｂi ，１０ｃi に同期し、テレビジョン放送局において各放送機器の同期をとるために用いられるハウスクロック等の基準同期信号を受け入れ、基準同期信号Ｓ２８としてＡＶデータ入出力制御回路１０i および同期・非同期変換回路２４に供給する。
【００５０】
ＴＣＩＦ回路３０は、外部機器２等の外部から入力され、音声・映像データの経過時間あるいは表示時間等を示し、外部機器２において音声と映像との同期をとるため等に用いられるタイムコードを受け入れ、タイムコードＳ３０としてＡＶデータ入出力制御回路１０i および同期・非同期変換回路２４に供給する。
【００５１】
多重化ＩＦ回路３２は、外部機器２等の外部から入力され、ＡＶデータ入出力制御回路１０1 〜１０n 全てに対する同一の処理内容を示し、これらを一括して制御する一括制御信号を受け入れ、一括制御信号Ｓ３２としてＡＶデータ入出力制御回路１０1 〜１０n に供給する。
【００５２】
同期・非同期変換回路２４は、データバス２２上で基準同期信号Ｓ２８あるいはタイムコードＳ３０に同期したデータ転送を行う場合に用いられ、データバス２２を介してＡＶデータ入出力制御回路１０i から、これらの信号に同期して入力された音声・映像データを非同期に記憶装置２６に記録させ、記憶装置２６が非同期に再生した音声・映像データを、これらの信号に同期してデータバス２２を介してＡＶデータ入出力制御回路１０i に対して出力する。
【００５３】
記憶装置２６は、制御バス２０を介した記録・再生制御回路３４の制御に従って、例えばハードディスクあるいは半導体メモリといった、実時間的なベースバンドの音声・映像データのデータレートでデータを記録・再生可能な記録媒体に、データバス２２および同期・非同期変換回路２４を介してＡＶデータ入出力制御回路１０i から入力される圧縮符号化（時間圧縮）された音声・映像データを記録し、また、記録した音声・映像データを再生し、同期・非同期変換回路２４およびデータバス２２を介してＡＶデータ入出力制御回路１０i に対して出力する。
なお、記憶装置２６は、複数の音声・映像データを独立かつ同時に記録・再生することが可能であり、複数のＡＶデータ入出力制御回路１０i は、あたかも、それぞれ１台ずつＶＴＲ装置を有しているかのように、記憶装置２６に音声・映像データを記録・再生することができる。このような記憶装置２６を有することにより、同一の素材データの任意の部分を、任意のタイミングで再生することが可能となる。
【００５４】
以下、データ記録・再生装置１の動作を説明する。
図３は、記憶装置２６に音声・映像データを記録する場合のデータ記録・再生装置１の各構成部分間の信号シーケンスを示す図である。なお、図３には、説明の簡略化のために、記憶装置２６に空き記録領域がない場合等の例外処理を省略して示してある。
図３に示すように、外部機器２からＡＶデータ入出力制御回路１０i に対して、記録要求信号が制御信号Ｓ１０ａi として出力される。
【００５５】
記録要求信号を受けたＡＶデータ入出力制御回路１０i は、制御バス２０を介して記録・再生制御回路３４に記録要求信号を出力する。
記録要求信号を受けた記録・再生制御回路３４は、記憶装置２６の空き記録領域を検索し、記録が要求された音声・映像データに割り当てた記録領域を示す領域割当信号を、ＡＶデータ入出力制御回路１０i および記憶装置２６に出力する。
【００５６】
領域割当信号を受けたＡＶデータ入出力制御回路１０i は、外部機器２に対して記録許可信号を制御信号Ｓ１０ａi として出力する。
記録許可信号を受けた外部機器２は、ＡＶデータ入出力制御回路１０i に対して記録命令信号を出力し、ＡＶデータ入出力制御回路１０i は、制御バス２０を介して受けた記録命令信号を記憶装置２６に対して出力する。
【００５７】
さらに、外部機器２は、記憶装置２６に記録を要求する実時間的な音声・映像データＳ１０ｂi （図３において図示せず）をＡＶデータ入出力制御回路１０i に対して出力する。
外部機器２が出力する音声・映像データＳ１０ｂi は、ＡＶデータ入出力制御回路１０i およびデータバス２２を介して記憶装置２６に記録される。
【００５８】
記録・再生制御回路３４が割り当てた記録領域全てに音声・映像データが記録されると、記憶装置２６は制御バス２０を介してＡＶデータ入出力制御回路１０i に記録完了通知信号を出力する。
記録完了通知信号を受けたＡＶデータ入出力制御回路１０i は、外部機器２に記録完了通知信号を出力する。
【００５９】
図４は、記憶装置２６に記録された音声・映像データを再生する場合のデータ記録・再生装置１の各構成部分間の信号シーケンスを示す図である。なお、図４には、説明の簡略化のために、記憶装置２６に再生が要求された音声・映像データが記録されていない場合等の例外処理を省略して示してある。
図４に示すように、外部機器２は、記憶装置２６に記録されている音声・映像データを再生することを要求する再生要求信号を制御信号Ｓ１０ａi としてＡＶデータ入出力制御回路１０i に対して出力する。
【００６０】
再生要求信号を受けたＡＶデータ入出力制御回路１０i は、記録・再生制御回路３４に制御バス２０を介して再生要求信号を出力する。
再生要求信号を受けた記録・再生制御回路３４は、再生が要求された音声・映像データが記録されている記憶装置２６の領域を検索し、見つけ出した記録領域を示す領域通知信号を制御バス２０を介してＡＶデータ入出力制御回路１０i および記憶装置２６に出力する。
【００６１】
領域通知信号を受けたＡＶデータ入出力制御回路１０i は、再生許可信号を制御信号１０ａi として外部機器２に出力する。
再生許可信号を受けた外部機器２は、再生命令信号を制御信号Ｓ１０ａi としでＡＶデータ入出力制御回路１０i に出力し、再生命令信号を受けたＡＶデータ入出力制御回路１０i は、再生命令信号を制御バス２０を介して記憶装置２６に出力する。
【００６２】
再生命令信号を受けた記憶装置２６は、記録・再生制御回路３４から受けた領域通知信号が示す記録領域から再生が要求された音声・映像データを再生してデータバス２２を介してＡＶデータ入出力制御回路１０i に出力する。
ＡＶデータ入出力制御回路１０i は、記憶装置２６から受けた音声・映像データを、実時間的な音声・映像データＳ１０ｃi として外部機器２に出力する（図３において図示せず）。
【００６３】
記憶装置２６は、記録・再生制御回路３４から受けた領域通知信号が示す記録領域から音声・映像データの全てを再生し終えると、再生完了通知信号を制御バス２０を介してＡＶデータ入出力制御回路１０i に出力する。
再生完了通知信号を受けたＡＶデータ入出力制御回路１０i は、再生完了通知を制御バス２０を介して記録・再生制御回路３４に出力する。
【００６４】
再生完了通知信号を受けた記録・再生制御回路３４は、制御バス２０を介してＡＶデータ入出力制御回路１０i に再生完了認識通知信号を出力する。
再生完了認識通知を受けたＡＶデータ入出力制御回路１０i は、外部機器２に再生処理完了通知信号を制御信号Ｓ１０ａi として出力する。
【００６５】
なお、外部機器２等の外部から多重化ＩＦ回路３２を介してＡＶデータ入出力制御回路１０1 〜１０n 全てに同一の制御信号（一括制御信号Ｓ３２）が入力される場合には、ＡＶデータ入出力制御回路１０1 〜１０n 全てが同じ記録または再生動作を行う。
【００６６】
また、同期信号ＩＦ回路２８またはＴＣＩＦ回路３０から、基準同期信号Ｓ２８またはタイムコードＳ３０が入力され、記録・再生制御回路３４が基準同期信号Ｓ２８またはタイムコードＳ３０に同期したデータ転送を行なうようにＡＶデータ入出力制御回路１０1 〜１０n および同期・非同期変換回路２４を制御した場合、データバス２２上の音声・映像データの転送は、これらの信号に同期して行われる。
【００６７】
＜参考例２＞
以下、本発明の実施の形態の参考となる構成を有するＡＶデータ入出力制御回路を、参考例２として説明する。
図５は、参考例２における本発明に係るＡＶデータ入出力制御回路４０ｉの構成を示す図である。
図５に示すように、ＡＶデータ入出力制御回路４０ｉは、図２に示したＡＶデータ入出力制御回路１０ｉのメモリ回路１１２と外部機器２との間に、圧縮符号化回路１２０および伸長復号回路１２２を付加した構成になっている。
【００６８】
ＡＶデータ入出力制御回路４０i は、図１に示したデータ記録・再生装置１において、ベースバンドの非圧縮音声・映像データ１０ｂi ，１０ｃi を外部機器２との間で入出力し、記憶装置２６に圧縮符号化した音声・映像データを記録・再生する場合に、ＡＶデータ入出力制御回路１０i の代わりに用いられる。
【００６９】
圧縮符号化回路１２０は、外部機器２から入力された非圧縮の実時間的な音声・映像データＳ１０ｂi を、ＭＰＥＧ等の圧縮符号化方式で圧縮符号化し、メモリ回路１１２に対して出力する。
伸長復号回路１２２は、データバスＩＦ１１４から入力された圧縮符号化された圧縮音声・映像データを伸長復号し、実時間的なベースバンドの非圧縮音声・映像データＳ１０ｃi として外部機器２に対して出力する。
【００７０】
以下、ＡＶデータ入出力制御回路４０i をＡＶデータ入出力制御回路１０i の代わりに用いたデータ記録・再生装置１の動作を簡単に説明する。
図３に示した信号シーケンスにより、外部機器２から圧縮符号化回路１２０に入力された実時間的な非圧縮音声・映像データは、圧縮符号化回路１２０により圧縮符号化され、メモリ回路１１２およびデータバスＩＦ１１４を介して記憶装置２６に対して出力され、記憶装置２６により所定の記録媒体に記録される。
【００７１】
また、図４に示した信号シーケンスにより、記憶装置２６から再生された圧縮音声・映像データは、データバスＩＦ１１４およびメモリ回路１１２を介して伸長復号回路１２２に入力され、伸長復号され、実時間的な音声・映像データとして外部機器２に出力される。
【００７２】
圧縮符号化回路１２０および伸長復号回路１２２をＡＶデータ入出力制御回路４０i に設けることにより、ベースバンドの音声・映像データとして入力される音声・映像データＳ１０ｂi を圧縮符号化して記憶装置２６に記録することができ、また、記憶装置２６が再生した圧縮音声・映像データをベースバンドの音声・映像データＳ１０ｃi として外部機器２に出力することができる。
【００７３】
なお、圧縮符号化回路１２０および伸長復号回路１２２を、音声データまたは映像データのいずれかを取り扱うように構成してもよい。
また、制御バス２０における同期データ転送が不要な場合は、同期・非同期変換回路２４を削除し、あるいは、同期・非同期変換回路２４の動作を止めてもよい。
【００７４】
第１実施形態
以下、本発明の第１の実施の形態を説明する。
参考例１に示したデータ記録・再生装置１のＡＶデータ入出力制御回路１０ｉは、実時間的な音声・映像データを入出力することを目的としている。
しかしながら、データ記録・再生装置１においては、実時間的な音声・映像データの入出力のみが可能であるため、データ記録・再生装置１と外部機器２との間の高速な音声・映像データ、例えば倍速再生下音声・映像データの転送ができず、音声・映像データの転送に時間がかかり、外部機器２における編集作業の効率が低下してしまう。
また、参考例２に示したＡＶデータ入出力制御回路４０ｉを用いた場合、圧縮・伸長処理により音声・映像データの劣化が生じてしまう。
【００７５】
第１の実施形態に示すデータ記録・再生装置３は、かかる問題点を解決するためになされたものであり、データ記録・再生装置１に、非実時間的な音声・映像データを入出力するＡＶデータ入出力制御回路５０を付加した構成をとる。
図６は、第１の実施形態における本発明に係るデータ記録・再生装置３の構成を示す図である。なお、図６に示したデータ記録・再生装置３の構成部分の内、図１に示したデータ記録・再生装置１と同一の構成部分には、同一符号を付してある。
【００７６】
図６に示すように、データ記録・再生装置３は、参考例１に示したデータ記録・再生装置１と同じ構成部分として、ｎ個の実時間的な音声・映像データ用のＡＶデータ入出力制御回路１０１〜１０ｎ、記録・再生制御回路３４、同期・非同期変換回路２４、記憶装置２６、同期信号ＩＦ回路２８、ＴＣＩＦ回路３０および多重化ＩＦ回路３２する。さらに、データ記録・再生装置３は、参考例１に示したデータ記録・再生装置１と異なる構成部分として、ＡＶデータ入出力制御回路５０を有する。
【００７７】
データ記録・再生装置３において、ＡＶデータ入出力制御回路５０は、例えば、ＶＴＲ装置から２倍速、３倍速再生等の倍速再生をして得られる通常の実時間的な音声・映像データと異なるデータレートの音声・映像データ（非実時間的な音声・映像データ）を外部機器２との間で入出力するために用いられる。
なお、ＡＶデータ入出力制御回路５０は、ＡＶデータ入出力制御回路１０1 〜１０n と同様に、同期・非同期変換回路２４とデータバス２２を介して相互に接続される。また、ＡＶデータ入出力制御回路５０は、記録・再生制御回路３４および記憶装置２６と、制御バス２０を介して相互に接続される。
【００７８】
また、ＡＶデータ入出力制御回路５０には、ＡＶデータ入出力制御回路１０1 〜１０n と同様に、外部機器２から必要に応じて、同期信号ＩＦ回路２８を介して基準同期信号Ｓ２８が入力される。
また、ＡＶデータ入出力制御回路５０には、ＴＣＩＦ回路３０を介して音声・映像データの時刻を示し、同期確立のために用いられるタイムコードＳ３０が入力される。
また、ＡＶデータ入出力制御回路５０には、多重化ＩＦ回路３２を介して、ＡＶデータ入出力制御回路１０1 〜１０n およびＡＶデータ入出力制御回路５０の動作を一括して制御するために用いられる一括制御信号Ｓ３２が入力される。
【００７９】
このように、データ記録・再生装置３においては、外部から入力される基準同期信号およびタイムコード等に同期したデータバス２２上の音声・映像データの転送が可能である。
また、データ記録・再生装置３は、ＡＶデータ入出力制御回路１０1 〜１０n を介した実時間的な音声・映像データの入出力を外部機器２との間で行うことができる他、ＡＶデータ入出力制御回路５０を介した非実時間的な音声・映像データの入出力を外部機器２との間で行うことができる。
【００８０】
図７は、第１の実施形態に示す非実時間的なベースバンドの非圧縮音声・映像データ用のＡＶデータ入出力制御回路５０の構成を示す図である。なお、図７に示すＡＶデータ入出力制御回路５０の構成部分の内、図２に示したＡＶデータ入出力制御回路１０１〜１０ｎと同じ構成部分には同一の符号を付してある。
図７に示すように、外部機器２および記憶装置２６との間で非圧縮音声・映像データを入出力するデータ記録・再生装置５０は、マイクロプロセッサ１０２、メモリ回路５００およびデータバスＩＦ１１４から構成される。
【００８１】
メモリ回路５００は、データ記録・再生装置１１２（図２）と同様に、マイクロプロセッサ１０２の制御に従って、外部機器２から入力される音声・映像データＳ５０ｂをバッファリングし、データバスＩＦ１１４を介して記憶装置２６（同期・非同期変換回路２４）に対して出力する。
また、メモリ回路５００は、データバスＩＦ１１４を介して記憶装置２６から入力される音声・映像データをバッファリングし、音声・映像データＳ５０ｃとして外部機器２に対して出力する。
【００８２】
ただし、ＡＶデータ入出力制御回路５００は、ＡＶデータ入出力制御回路１０1 が入出力する実時間的な音声・映像データよりもデータレートが高い非実時間的な音声・映像データを入出力するため、メモリ回路５００は、図２に示したＡＶデータ入出力制御回路１０1 〜１０n のメモリ回路１１２に比べて記憶容量が大きい。
【００８３】
以下、データ記録・再生装置３の動作を説明する。
図８は、図６に示した記憶装置２６に非実時間的なベースバンドの音声・映像データを記録する場合のデータ記録・再生装置３の各構成部分間の信号シーケンスを示す図である。なお、図８には、説明の簡略化のために、記憶装置２６に空き記録領域がない場合等の例外処理を省略して示してある。
図８に示すように、外部機器２からＡＶデータ入出力制御回路５０に対して、記録速度要求信号が制御信号Ｓ５０ａとして出力される。外部機器２は、この記録速度要求信号により、データ記録・再生装置３に記録させようとする非実時間的な音声・映像データのデータレートを通知する。
【００８４】
ＡＶデータ入出力制御回路５０は、外部機器２に対して、通知を受けたデータレートで記録が可能である旨を通知する記録速度承認信号を制御信号Ｓ５０ａとして出力する。
記録速度承認信号を受信した外部機器２は、ＡＶデータ入出力制御回路５０に対して、記録要求信号を出力する。
記録要求信号を受けたＡＶデータ入出力制御回路５０は、制御バス２０を介して記録・再生制御回路３４に記録要求信号を出力する。
記録要求信号を受けた記録・再生制御回路３４は、記憶装置２６の空き記録領域を検索し、記録が要求された音声・映像データに割り当てた記録領域を示す領域割当信号を、ＡＶデータ入出力制御回路５０および記憶装置２６に出力する。
【００８５】
領域割当信号を受けたＡＶデータ入出力制御回路５０は、外部機器２に対して記録許可信号を出力する。
記録許可信号を受けた外部機器２は、ＡＶデータ入出力制御回路５０に対して記録命令信号を出力し、ＡＶデータ入出力制御回路５０は、制御バス２０を介して受けた記録命令信号を記憶装置２６に対して出力する。
【００８６】
さらに、外部機器２は、記憶装置２６に記録を要求する非実時間的なベースバンドの音声・映像データＳ５０ｂ（図８において図示せず）をＡＶデータ入出力制御回路５０に対して出力する。
外部機器２が出力する音声・映像データＳ５０ｂは、ＡＶデータ入出力制御回路５０およびデータバス２２を介して記憶装置２６に記録される。
【００８７】
記録・再生制御回路３４が割り当てた記録領域全てに音声・映像データが記録されると、記憶装置２６は制御バス２０を介してＡＶデータ入出力制御回路５０に記録完了通知信号を出力する。
記録完了通知信号を受けたＡＶデータ入出力制御回路５０は、外部機器２に記録完了通知信号を出力する。
以上説明したように、データ記録・再生装置３においても、データ記録・再生装置１の記録時の信号シーケンス（図３）に記録速度要求信号および記録速度承認信号を前置するだけで、非実時間的な音声・映像データを記憶装置２６に記録することができる。
【００８８】
図９は、図６に示した記憶装置２６に記録された非実時間的なベースバンドの音声・映像データを再生する場合のデータ記録・再生装置３の各構成部分間の信号シーケンスを示す図である。なお、図９には、説明の簡略化のために、記憶装置２６に再生が要求された音声・映像データが記録されていない場合等の例外処理を省略して示してある。
図９に示すように、外部機器２は、再生させようとする音声・映像データのデータレートをデータ記録・再生装置３に通知する再生速度要求信号をＡＶデータ入出力制御回路５０に対して出力する。
ＡＶデータ入出力制御回路５０は、通知を受けたデータレートで再生が可能である旨を通知する再生速度承認信号を制御信号Ｓ５０ａとして出力する。
この再生速度承認信号を受けた外部機器２は、ＡＶデータ入出力制御回路５０に対して再生要求信号を出力する。
【００８９】
再生要求信号を受けたＡＶデータ入出力制御回路５０は、記録・再生制御回路３４に制御バス２０を介して再生要求信号を出力する。
再生要求信号を受けた記録・再生制御回路３４は、再生が要求された音声・映像データが記録されている記憶装置２６の領域を検索し、見つけ出した記録領域を示す領域通知信号を制御バス２０を介してＡＶデータ入出力制御回路５０および記憶装置２６に出力する。
【００９０】
領域通知信号を受けたＡＶデータ入出力制御回路５０は、再生許可信号を制御信号Ｓ５０ａとして外部機器２に出力する。
再生許可信号を受けた外部機器２は、再生命令信号を制御信号Ｓ５０ａとしてＡＶデータ入出力制御回路５０に出力し、再生命令信号を受けたＡＶデータ入出力制御回路５０は、再生命令信号を制御バス２０を介して記憶装置２６に出力する。
【００９１】
再生命令信号を受けた記憶装置２６は、記録・再生制御回路３４から受けた領域通知信号が示す記録領域から再生が要求された音声・映像データを再生してデータバス２２を介してＡＶデータ入出力制御回路５０に出力する。
ＡＶデータ入出力制御回路５０は、記憶装置２６から受けた音声・映像データを、非実時間的な音声・映像データＳ５０ｃとして外部機器２に出力する（図８において図示せず）。
【００９２】
記憶装置２６は、記録・再生制御回路３４から受けた領域通知信号が示す記録領域から音声・映像データの全てを再生し終えると、再生完了通知信号を制御バス２０を介してＡＶデータ入出力制御回路５０に出力する。
再生完了通知信号を受けたＡＶデータ入出力制御回路５０は、再生完了通知を制御バス２０を介して記録・再生制御回路３４に出力する。
【００９３】
再生完了通知信号を受けた記録・再生制御回路３４は、制御バス２０を介してＡＶデータ入出力制御回路５０に再生完了認識通知信号を出力する。
再生完了認識通知を受けたＡＶデータ入出力制御回路５０は、外部機器２に再生処理完了通知信号を制御信号Ｓ５０ａとして出力する。
以上説明したように、データ記録・再生装置３においても、データ記録・再生装置１の再生時の信号シーケンス（図４）に再生速度要求信号および再生速度承認信号を前置するだけで、非実時間的な音声・映像データを記憶装置２６から再生することができる。
【００９４】
なお、外部機器２等の外部から多重化ＩＦ回路３２を介してＡＶデータ入出力制御回路１０1 〜１０n およびＡＶデータ入出力制御回路５０の全てに同一の制御信号（一括制御信号Ｓ３２）が入力される場合には、ＡＶデータ入出力制御回路１０1 〜１０n およびＡＶデータ入出力制御回路５０は、同じ記録または再生動作を行う。
【００９５】
また、同期信号ＩＦ回路２８またはＴＣＩＦ回路３０から、基準同期信号Ｓ２８またはタイムコードＳ３０が入力され、記録・再生制御回路３４が基準同期信号Ｓ２８またはタイムコードＳ３０に同期したデータ転送を行なうようにＡＶデータ入出力制御回路１０1 〜１０n 、ＡＶデータ入出力制御回路５０および同期・非同期変換回路２４を制御した場合、データバス２２上の音声・映像データの転送は、これらの信号に同期して行われる。
また、データ記録・再生装置３においても、ＡＶデータ入出力制御回路１０i は、ＡＶデータ入出力制御回路５０の記録・再生動作と平行して音声・映像データの記録・再生を行うことが可能であることはいうまでもない。
【００９６】
以上説明したように、第１の実施形態に示したデータ記録・再生装置３によれば、実時間的な音声・映像データよりもデータレートが高い非実時間的な音声・映像データの入出力が可能となり、外部機器２との音声・映像データの転送に要する時間が短縮され、外部機器２における編集作業の効率が向上する。
また、ＡＶデータ入出力制御回路５０を用いた場合、非圧縮音声・映像データを高速転送可能であるため、参考例２に示したＡＶデータ入出力制御回路４０ｉを用いる場合と異なり、音声・映像データの劣化が生じない。
【００９７】
なお、ＡＶデータ入出力制御回路５０に、高速化した圧縮符号化回路１２０および伸長復号回路１２２をさらに加えることにより、ＡＶデータ入出力制御回路５０を、圧縮符号化した音声・映像データを入出力可能なように変形することができる。
また、データ記録・再生装置３が複数のＡＶデータ入出力制御回路５０を有するように構成してもよい。
また、第１の実施形態に示したデータ記録・再生装置３に対しても、参考例１および参考例２に示したものと同様の変形が可能である。
【００９８】
第２実施形態
以下、本発明に係るデータ記録・再生装置３の第１の用途として、本発明の第２の実施形態を説明する。
図１０は、第２の実施形態におけるデータ記録・再生システム４の構成を示す図である。
図１０に示すように、データ記録・再生システム４は、データ記録・再生装置３と外部機器２1 ，２2 から構成される。
データ記録・再生システム４において、データ記録・再生装置３は、例えば、６個のＡＶデータ入出力制御回路１０１〜１０ｎ（ｎ＝６）と１個のＡＶデータ入出力制御回路５０とを有し、ＡＶデータ入出力制御回路１０１〜１０３は外部機器２1 に接続され、ＡＶデータ入出力制御回路１０４〜１０６は外部機器２2接続される。また、データ記録・再生装置３のＡＶデータ入出力制御回路５０は、例えば実時間的なデータレートよりも高い非実時間的なデータレートで音声・映像データを伝送する高速伝送装置（図示せず）に接続され、高速伝送装置との間で制御信号Ｓ５０ａおよび音声・映像データＳ５０ｂ，Ｓ５０ｃを送受信する。
【００９９】
外部機器２1 ，２2 は、例えば、音声・映像データを編集処理する編集装置であって、外部機器２1 は、データ記録・再生装置３のＡＶデータ入出力制御回路１０1 〜１０3 との間で、３本の制御信号Ｓ１０ａ1 〜１０ａ3 、２本の入力（外部機器２1 側から見て）音声・映像データＳ１０ｃ1 ，Ｓ１０ｃ2 および１本の出力音声・映像データＳ１０ｂ3 を送受信する。
外部機器２2 は、外部機器２1 と同様に、例えば、データ記録・再生装置３のＡＶデータ入出力制御回路１０4 〜１０6 との間で、３本の制御信号Ｓ１０ａ4 〜１０ａ6 、２本の入力音声・映像データＳ１０ｃ4 ，Ｓ１０ｃ5 および１本の出力音声・映像データＳ１０ｂ6 を送受信する。
【０１００】
以上述べたように構成したデータ記録・再生システム４においては、外部機器２1 ，２2 は、それぞれ編集の対象となる音声・映像データ（素材データ）の供給をデータ記録・再生装置３から受けることができ、また、編集処理の結果として得られた音声・映像データをデータ記録・再生装置３に記録させることができる。
【０１０１】
データ記録・再生システム４に示した構成を採ることにより、データ記録・再生装置３は、２台の外部機器２1 ，２2 の要求に応じて音声・映像データを記録・再生することができる。
また、データ記録・再生システム４は、高速伝送装置から受信した音声・映像データを記録し、記録した音声・映像データを再生してデータ記録・再生システム４に対して供給することが可能である。
【０１０２】
また、ＡＶデータ入出力制御回路１０1 〜１０6 を介して外部機器２1 ，２2 から入力された音声・映像データをデータバス２２を介してデータ記録・再生システム４から高速伝送装置に対して供給し、あるいは、高速伝送装置から供給された音声・映像データを外部機器２1 ，２2 に対して出力することが可能である。
【０１０３】
従って、第２の実施形態に示したデータ記録・再生システム４によれば、複数の外部機器２による音声・映像データの記録・再生要求に応えることができ、しかも、非実時間的な音声・映像データ入力Ｓ５０ｂを高速伝送装置の要求に応じて送受信することが可能になる。
【０１０４】
また、第２の実施形態に示したデータ記録・再生システム４によれば、外部機器２1 ，２2 が使用する素材データを、予め高速伝送装置から受信してデータ記録・再生装置３に用意することができ、編集作業の能率が向上する。
なお、第２の実施形態に示したデータ記録・再生システム４の各構成部分に対しては、第１の実施形態〜第３の実施形態に示した変形が可能である。
【０１０５】
第３実施形態
以下、本発明に係るデータ記録・再生装置３の第２の用途として、本発明の第３の実施形態を説明する。
複数の外部機器２をそれぞれ、参考例１および参考例２に示した複数のデータ記録・再生装置１に接続し、複数の外部機器２が複数のデータ記録・再生装置１に対して音声・映像データを記録したいという要求がある。このような要求を満たすために、複数の外部機器２それぞれを複数のデータ記録・再生装置１に接続すると、複数の外部機器２それぞれが、複数のデータ記録・再生装置１それぞれのＡＶデータ入出力制御回路１０ｉを占有することになる。
【０１０６】
従って、例えば、それぞれｎ個のＡＶデータ入出力制御回路１０１〜１０ｎを有する２台のデータ記録・再生装置１１，１２に複数の外部機器２を単純に接続すると、２台のデータ記録・再生装置１１，１２が接続可能な外部機器２の数はｎ台以下になる。
第３の実施形態に示すデータ記録・再生システム５は、かかる問題点を解決するためになされたものである。つまり、データ記録・再生システム５は、データ記録・再生装置１（図１）の代わりにデータ記録・再生装置３（図６）を使用し、外部機器２による複数のデータ記録・再生装置に対する音声・映像データを記録・再生可能とし、しかも、できる限り多数の外部機器２を複数のデータ記録・再生装置に接続することを目的とする。
【０１０７】
図１１は、第３の実施形態におけるデータ記録・再生システム６の構成を示す図である。
図１１に示すように、データ記録・再生システム５は、２台のデータ記録・再生装置３１，３２および４台の外部機器２１〜２４により構成される。
データ記録・再生システム５において、データ記録・再生装置３１，３２は、例えば、６個のＡＶデータ入出力制御回路１０１〜１０ｎ（ｎ＝６）と１個のＡＶデータ入出力制御回路５０とを有する。
【０１０８】
データ記録・再生装置３1 のＡＶデータ入出力制御回路５０（図６，図７）は、高速伝送装置からの非実時間的な音声・映像データＳ５０ｂ1 を受け、音声・映像データＳ５０ｃ1 をデータ記録・再生装置３2 のＡＶデータ入出力制御回路５０に対して出力する。
【０１０９】
また、データ記録・再生装置３1 のＡＶデータ入出力制御回路１０１〜１０６は、外部との間で制御信号Ｓ１０ａ１を送受信し、外部から実時間的な音声・映像データＳ１０ｂ１を受け入れる。
また、データ記録・再生装置３１のＡＶデータ入出力制御回路１０１〜１０６は、それぞれ外部機器２１，２２との間で制御信号Ｓ１０ａ２〜Ｓ１０ａ６を送受信し、外部機器２１，２２から音声・映像データＳ１０ｂ３，Ｓ１０ｂ６を受け入れ、外部機器２１，２２に対して音声・映像データＳ１０ｃ２，Ｓ１０ｃ３，Ｓ１０ｃ４，Ｓ１０ｃ５を出力する。
【０１１０】
データ記録・再生装置３２のＡＶデータ入出力制御回路５０は、高速伝送装置からの非実時間的な音声・映像データＳ５０ｂ２を受け、データ記録・再生装置３１のＡＶデータ入出力制御回路５０から音声・映像データＳ５０ｃ1 を受ける。
また、データ記録・再生装置３２のＡＶデータ入出力制御回路１０１〜１０６は、それぞれ外部機器２３，２４との間で制御信号Ｓ１０ａ１〜Ｓ１０ａ６を送受信し、外部機器２３，２４から音声・映像データＳ１０ｂ３，Ｓ１０ｂ６を受け入れ、外部機器２３，２４に対して音声・映像データＳ１０ｃ１，Ｓ１０ｃ２，Ｓ１０ｃ４，Ｓ１０ｃ５を出力する。
また、データ記録・再生装置３１，３２のＡＶデータ入出力制御回路５０は、それぞれ、第２の実施形態において示した高速伝送装置からの音声・映像データＳ５０ｂ１，５０ｂ２を受信する。
外部機器２１〜２４は、例えば、音声・映像データを編集処理する編集装置である。
【０１１１】
データ記録・再生システム５において、データ記録・再生装置３2 は、データ記録・再生装置３1 に記録されている音声・映像データを音声・映像データＳ５０ｃ1 として受けることができる。従って、外部機器２1 〜２4 の内、データ記録・再生装置３2 に接続された外部機器２3 ，２4 は、データ記録・再生装置３1 ，３2 のいずれに記録された音声・映像データも編集処理の対象とすることができ、編集の結果として得られた音声・映像データをデータ記録・再生装置３2 に記録することができる。
また、外部機器２1 以外の外部機器２2 〜２4 はそれぞれ、データ記録・再生装置３1 ，３2 から２つの素材データを受け、編集作業をすることができる。
【０１１２】
第３の実施形態において示したデータ記録・再生システム５の構成とすれば、データ記録・再生装置３１は、４台の外部機器２１〜２４の要求に応えながら、実時間的な音声・映像データＳ１０ｂ１を、外部機器２１〜２４以外からの制御信号Ｓ１０ａ１に従って受け、さらに、制御信号Ｓ１０ａ１に従ってデータ記録・再生装置３１，３２の間で受けた音声・映像データの複写を行うことができる。従って、データ記録・再生装置３１，３２は、全体として外部機器２１〜２４以外からの制御信号１０ａ１に従って、外部機器２１〜２４それぞれに対して音声・映像データＳ１０ｂ１を供給することができる。
【０１１３】
なお、例えば、音声・映像データを時分割多重化した音声・映像データＳ５０ｂ１，Ｓ５０ｂ２をデータ記録・再生装置３１，３２にそれぞれ入力し、データ記録・再生装置３１，３２を、あたかも時分割交換機であるかのように利用し、外部機器２１〜２４に対する音声・映像データの供給の柔軟性を増すことが可能である。
第３の実施形態に示したデータ記録・再生システム５の各構成部分に対しては、例えば、参考例１〜２，第１の実施形態に示した変形が可能である。
【０１１４】
【発明の効果】
以上述べたように、本発明に係る音声・映像データ記録・再生装置および音声・映像データ記録・再生システムによれば、テレビジョン放送局の放送システムにおいて、テレビジョン放送局それぞれの業務規模、あるいは、同一のテレビジョン放送局における放送システムを適用する業務の種類に対応して、音声・映像データ用サーバーシステムの規模および機能を変更することができる。従って、本発明に係る音声・映像データ記録・再生装置および音声・映像データ記録・再生システムは、機能および構成の変更が容易で拡張性が高く、低コストである。
【０１１５】
また、本発明に係る音声・映像データ記録・再生装置および音声・映像データ記録・再生システムによれば、通常、テレビジョン放送局内の放送システムにおいて、音声・映像データが基準同期信号あるいはタイムコードに厳密に同期して伝送および送出されること、および、既存の放送機器との接続の容易性を考慮し、外部から入力される基準同期信号等に従属同期して音声・映像データを取り扱うことができる。
【０１１６】
また、本発明に係る音声・映像データ記録・再生装置および音声・映像データ記録・再生システムによれば、取り扱う音声・映像データにシステム遅延時間を生じる部分を極力、削減してシステム遅延時間を減らし、また、外部の制御装置に制御されて動作する場合に、外部の制御装置からの制御命令が処理実行部分に直接的に供給されるようにして、外部の制御装置からの制御に対して素早く対応できる。
【０１１７】
また、本発明に係る音声・映像データ記録・再生装置および音声・映像データ記録・再生システムによれば、放送システム全体で用いられる基準同期信号に同期して音声・映像データを伝送することができ、同期／非同期変換処理を要する構成部分を少なくすることができる。
また、本発明に係る音声・映像データ記録・再生装置および音声・映像データ記録・再生システムによれば、ベースバンドディジタル音声・映像データの転送および交換が可能である。
【０１１８】
また、本発明に係る音声・映像データ記録・再生装置および音声・映像データ記録・再生システムは、従来の実時間的な映像音声データの記録・再生に加え、非実時間的な音声・映像データを記録・再生することが可能であり、音声・映像データの伝送時間を短縮することができ、例えば、編集作業時間に制限があるニュース映像の編集に好適である。
【図面の簡単な説明】
【図１】  本発明の参考例に係るデータ記録・再生装置の構成を示す図である。
【図２】  第１のＡＶデータ入出力回路の構成を示す図である。
【図３】  図１に示した記憶装置に、音声・映像データを記録する場合のデータ記録・再生装置の各構成部分間の信号シーケンスを示す図である。
【図４】  記憶装置に記録された音声・映像データを再生する場合のデータ記録・再生装置の各構成部分間の信号シーケンスを示す図である。
【図５】  本発明の参考例における本発明に係るＡＶデータ入出力制御回路の構成を示す図である。
【図６】  第１の実施形態における本発明に係るデータ記録・再生装置の構成を示す図である。
【図７】  第１の実施形態に示す非実時間的なベースバンドの非圧縮音声・映像データ用のＡＶデータ入出力制御回路の構成を示す図である。
【図８】  図６に示した記憶装置に非実時間的なベースバンドの音声・映像データを記録する場合のデータ記録・再生装置の各構成部分間の信号シーケンスを示す図である。
【図９】  図６に示した記憶装置に記録された非実時間的なベースバンドの音声・映像データを再生する場合のデータ記録・再生装置の各構成部分間の信号シーケンスを示す図である。
【図１０】  第２の実施形態におけるデータ記録・再生システムの構成を示す図である。
【図１１】  第３の実施形態におけるデータ記録・再生システムの構成を示す図である。
【図１２】  従来の音声・映像データ用のサーバシステムの構成例を示す図である。
【符号の説明】
１，３，３1 ，３2 …データ記録・再生装置、２，２1 〜２4 …外部機器、４，５…データ記録・再生システム、１０1 〜１０n ，１０i ，５０…ＡＶデータ入出力制御回路、１０２…マイクロプロセッサ、１１２，５００…メモリ回路、１１４…データバスＩＦ、１２０…圧縮符号化回路、１２２…伸長復号回路、２４…同期・非同期変換回路、２６…記憶装置、２８…同期信号ＩＦ回路、３０…ＴＣＩＦ回路、３２…多重化ＩＦ回路、３４…記録・再生制御回路、２…外部機器
【図１】
0003704771.tif 000002
【図２】
0003704771.tif 000003
【図３】
0003704771.tif 000004
【図４】
0003704771.tif 000005
【図５】
0003704771.tif 000006
【図６】
0003704771.tif 000007
【図７】
0003704771.tif 000008
【図８】
0003704771.tif 000009
【図９】
0003704771.tif 000010
【図１０】
0003704771.tif 000011
【図１１】
0003704771.tif 000012
【図１２】
0003704771.tif 000013